(57)【要約】
【課題】　本考案は、嵩張らず、また、使用目的に即した形態変化の自由度に富み、更に、使用中も身体姿勢に応じて形態を安定して保持することのできる坐り心地の良いビーズクッションソファを提供することを目的とする。
【解決手段】　上述の課題を解決するために、伸縮性布帛から成り、かつ、所要の凹　面積を有する第一袋生地１と；この第一袋生地の周縁と略同じ周サイズを有し、かつ、任意の布帛から成る第二袋生地２と；発泡合成樹脂粒状体である多数の発泡ビーズ３とから成り、前記第一袋生地１と第二袋生地２とは互いに周縁が接合されてソファ袋体Ｓを形成している一方、このソファ袋体Ｓにおける前記第一袋生地１の周縁部には当該対向周縁同士を互いに掛止可能なファスナー部材４を配設し、このファスナー部材４を掛合させることによって前記第二袋生地２を内部に包括した状態で第一袋生地１が、 縮小弾力袋ＳS を作出可能にした。
【選択図】　図１
　
0003100276.tif 000002
【実用新案登録請求の範囲】
【請求項１】
　伸縮性布帛から成り、かつ、所要の凹面積を有する第一袋生地１と；この第一袋生地１の周縁と略同じ周サイズを有し、かつ、任意の布帛から成る第二袋生地２と；発泡合成樹脂粒状体である多数の発泡ビーズ３とから成り、
前記第一袋生地１と第二袋生地２とは互いに周縁が接合されてソファ袋体Ｓを形成しており、このソファ袋体Ｓにおける第一袋生地１の周縁部には当該対向周縁同士を互いに掛止可能なファスナー部材４が配設されて、このファスナー部材４を掛合させることによって前記第二袋生地２を内部に包括した状態で第一袋生地１が縮小弾力袋ＳS を作出可能であり、さらに前記ソファ袋体Ｓにおける前記第二袋生地２には第二ファスナー部材２２により開閉操作自在な充填口２１が開設されており、かつ、このソファ袋体Ｓの内部に所要量の発泡ビーズ３が充填封入されていることを特徴とする体型フィット機能に富んだビーズクッションソファ。
【請求項２】
　第一袋生地１として、ストレッチ織物地が使用されていることを特徴とする請求項１記載の体型フィット機能に富んだビーズクッションソファ。
【請求項３】
　第一袋生地１として、編物地が使用されていることを特徴とする請求項１記載の体型フィット機能に富んだビーズクッションソファ。
【請求項４】
　第二袋生地２として、高密度織物地が使用されていることを特徴とする請求項１〜３の何れか一つに記載の体型フィット機能に富んだビーズクッションソファ。
【請求項５】
　第二袋生地２として、キャンバス布地が使用されていることを特徴とする請求項１〜３の何れか一つに記載の体型フィット機能に富んだビーズクッションソファ。
【請求項６】
　第二袋生地２として、非伸縮性の合成樹脂地が使用されていることを特徴とする請求項１〜３の何れか一つに記載の体型フィット機能に富んだビーズクッションソファ。
【請求項７】
　多数の発泡ビーズ３は、柔軟なインナーサック３１に収納されてソファ袋体Ｓに充填されていることを特徴とする請求項１〜６の何れか一つに記載の体型フィット機能に富んだビーズクッションソファ。
【考案の詳細な説明】
【技術分野】
【０００１】
　本考案は合成樹脂発泡ビーズを内部に充填したビーズクッションソファの改良に関し、詳しくは、サイズを大小自在に拡縮することができて、着座あるいは横臥の際、使用者の身体姿勢に応じた体型にピッタリとフィットするビーズクッションソファに関するものである。
【背景技術】
【０００２】
　従来において、着座の際に使用する伸縮性素材から成る着座面と、非伸縮性素材から構成される底面及び周面を有した円盤形の袋体に、発泡ビーズを封入したクッションソファ（特許文献１）が知られている。
【特許文献１】特開２０００−９３２６０号公報（段落〔0006〕、図１）　しかしながら、この従来の円盤形袋体は、その形状から明らかな通り、着座面が上下２面しかなく、使用上の自由度が頗る小さかった。
【０００３】
　このような理由から、着座の姿勢ばかりでなく、横臥姿勢にも対応するためには、構造上、着座面の表面積を大きくする必要があり、このため、ソファのサイズそのものを大きくする必要があった。特に、複数の使用者が同一の場所において、このようなソファを同時に使用する場合、場所が手狭となり、スペース節約の点から、構造的にも改善が求められていた。また、伸縮性素材を用いた袋体に吹けば飛ぶような”ふわふわ”とした小粒の発泡ビーズを手作業で充填するのは、嵩高で弾性変形量が大きいだけに袋自体も伸び縮みし、容積も限られているだけに、膨圧状態に充分に詰め込むことは不可能であった。
【０００４】
　このため、体重の大きい大柄の人が使用する場合には、着座面の沈み込みが深くなり過ぎて、坐り心地に不満を持つ人も多かった。
【考案の開示】
【考案が解決しようとする課題】
【０００５】
　本考案は、従来において、上記の如き不都合な点があったことに鑑みて為されたものであって、使用目的に合わせて形態を変化させることができるのであって、例えば、横臥姿勢を取る場合に、身体姿勢に応じた体型にフィットする如く自在に拡縮させて、その形状を変化して、どのような体格の使用者であっても、安定かつ気持ちよく着座あるいは横臥することのできるクッション性の高いビーズクッションソファを提供することを目的とする。
【課題を解決するための手段】
【０００６】
　本考案は、前述の目的を達成する基本的解決手段として、伸縮性布帛から成り、かつ、所要の凹面積を有する第一袋生地１と；この第一袋生地の周縁と略同じ周サイズを有し、かつ、任意の布帛から成る第二袋生地２と；発泡合成樹脂粒状体である多数の発泡ビーズ３とから成り、前記第一袋生地１と第二袋生地２とは互いに周縁が接合されてソファ袋体Ｓを形成している一方、このソファ袋体Ｓにおける前記第一袋生地１の周縁部には当該対向周縁同士を互いに掛止可能なファスナー部材４が配設されて、このファスナー部材４を掛合させることによって前記第二袋生地２を内部に包括した状態で第一袋生地１が、 縮小弾力袋ＳS を作出可能であり、さらに前記ソファ袋体Ｓにおける前記第二袋生地２には第二ファスナー部材２２により開閉操作自在な充填口２１が開設されており、かつ、このソファ袋体Ｓの内部に所要量の発泡ビーズ３を充填封入したことにより、従来のクッションソファに比べ、嵩張らず、しかも使用上の形態変化自由度が大きく、また、第一袋生地と第二袋生地の面積を略同等として、内部に充填される発泡ビーズの量を大幅に増量することができて、どのような体格の使用者にも、快適なクッション性を発揮し得る体型フィット機能に富んだビーズクッションソファを実現した。
【０００７】
　また、使用者の皮膚に直に接する布帛としての第一袋生地１にはストレッチ織物地あるいは編物地を使用したことによって、従来の如く、使用中、べとつき感や蒸れて汗ばんだ感触を伴ったり、また、伸縮性素材と非伸縮性素材との間の縫合面に負荷が加わり綻びを生じたり、破損したりすることのないクッション性に富んだ坐り心地の良いビーズクッションソファを実現した。
【０００８】
　更に、上記の如き構成において、所要の場合、第一袋生地１に封入される第二袋生地２として、一般的に伸びが殆ど無い高密度織物地、キャンバス生地または非伸縮性の合成樹脂地を使用したことによって、使用に際し、ソファ袋体Ｓに充填される発泡ビーズ３を圧縮して弾力性を強化して、使用者の着座あるいは横臥姿勢の体型にピッタリとフィットする形態安定型のビーズクッションソファを実現した。
【０００９】
　更に、上記の如き構成において、多数の発泡ビーズ３を柔軟なインナーサック３１に充填してソファ袋体Ｓに封入したことにより、使用中、発泡ビーズが袋体から飛散して、ソファのクッション性が低下したりすることのない長期間安定して使用可能なビーズクッションソファを実現した。
【考案の効果】
【００１０】
　本考案に基づくビーズクッションソファは、使用に際して、形態変化の自由度が大きく着座あるいは横臥等使用者の各種姿勢に応じて形状を自由に変化させることができ、しかも、フィット感に富んでいる。これに関連して、上記の如く、形状を自由に変化できる構成となっているため、手狭な場所においても、スペースを取ることなく使用できる。
【００１１】
　また、内部に充填する発泡ビーズを大幅に増減可能な構成としたため、クッション性にも富んでおり、どのような体格の使用者でも、心地よく使用することができる。
【考案を実施するための最良の形態】
【００１２】
　以下、本考案の好ましい実施の形態を、図示の実施例に基づいて更に詳細に説明する。
【実施例１】
【００１３】
　図１は、実施例１に係るソファを第一袋生地１と第二袋生地２の接合線を縦方向に位置させて置いた状態を示す一部透視斜視図である。また、図２は、実施例１のソファを第一袋生地１を下側に配置した場合の一部透視斜視図である。
【００１４】
　図中、符号１にて指示されるものは、伸縮性の第一袋生地であって、ポリウレタン繊維を製織したストレッチ織物地から構成されており、また、符号２にて指示されるものは、非伸縮性の第二袋生地であって、前記第一袋生地の周縁と略同じ周サイズを有しており、ポリエチレンテレフタレート繊維の高密度織物地から構成されている。
【００１５】
　図示される通り、前記第二袋生地２は、前記第一袋生地１の内部へ押込み状態に包まれて縮小弾性袋ＳS を形成しており、非伸縮性のため、以下において述べる発泡ビーズの移動を防止し、使用者の身体姿勢に適合可能になっている。また、その表面には充填口２１が開設されており、この充填口２１から発泡ビーズが袋体ＳS の内部に収容されている。この充填口は第二ファスナー部材であるマジックテープ２２の着脱により開閉可能となっている。
【００１６】
　次に、符号３にて指示されるものは、ポリスチレンの高発泡ビーズであって、図示の通り、前記第一袋生地と同じ素材から構成される伸縮性の柔軟なインナーサック３１に充填されて、ソファ内部に収容されている。尚、この発泡ビーズ３は、第一袋生地が拡張状態になるまで充填されており、袋体内部において、発泡ビーズが隙間なく行き渡る様にしている。このため、使用中、使用者の荷重により、ビーズ３が移動して、身体の接触面に異物感を与えるようなことはない。また、図中、符号４にて指示されるものは、ファスナー部材であって、本実施例においては、ジッパーを使用している。
【００１７】
　次に、図３は、第二袋生地２を第一袋生地１の中に包み込む前の状態を表す斜視図、また、図４は第二袋生地２が第一袋生地１の中に包み込まれて縮小弾性袋ＳS を形成した状態の斜視図である。図示される通り、第二袋生地２は、表面に皺のよった状態で伸展状態の第一袋生地１の中に包まれて、図４の縮小弾性袋ＳS を形成するのであり、この状態では、図５に示される如く、弾性スツール等として使用できる。図示される通り、第二袋生地２が使用者Ｐの身体姿勢に応じて、素直に弾性変形して安定な姿勢と坐り心地を発揮する。即ち、第一袋生地１は、その伸縮性と、発泡ビーズの弾性変形とが相俟って使用者の体重分布に従って当該縮小弾性袋ＳS の形状変化を許容し得るのである。
【実施例２】
【００１８】
　図６は、第二袋生地２を第一袋生地１の中に包み込む前の状態、図７は第二袋生地２が第一袋生地１の中に包み込まれて縮小弾性袋ＳS にした状態を表している。
【００１９】
　実施例２と実施例１との差異は、実施例１ではファスナー部材４として、ジッパーを使用していたの対して、実施例２ではファスナー部材４としてループテープ41とフックテープ４２とから構成されるマジックテープを採用した点にある。また、実施例１では、第二ファスナー部材２２としてマジックテープを使用していたの対して、実施例２では、ジッパーを採用している。
【００２０】
　次に、第一袋生地１として、ポリエステルのマルチフィラメント糸を編成したメリヤス生地の編物地を使用し、第二袋生地２として、コシが強く長期間使用しても収縮を生じることのない透湿性を備えたナイロン繊維のキャンバス生地が採用されている。
【００２１】
　この実施例２のクッションソファは、上記の如く、皮膚へ直に触れる第一袋生地１として、肌感触の快適なメリヤス生地を使用しており、その伸縮性と相俟って、頗る快適なソファが得られる。
【００２２】
　また、ファスナー部材として、上記の通り、マジックテープを使用しているため、表裏何れの面も異物感なく使用することができる。その他の構成要素は、上記の実施例１と同じである。
【実施例３】
【００２３】
　図８は、前記第二袋生地２を前記第一袋生地１の中に包み込む前の状態、図９は第二袋生地２が第一袋生地１の中に包み込まれて縮小弾性袋ＳS を形成した状態を表している。　
【００２４】
　本実施例と上記の実施例１及び２との差異は、先ず、第一袋生地１の周縁に配設されるファスナー部材４として、調節摘まみ４１とストラップ紐42とから成る長さ調節紐４を使用したことにあり、上記の実施例１及び２に比べ、内部のインナーサックの圧縮度合いを更に強めて、用途に合った体積に圧縮することができる。
【００２５】
　また、第二袋生地２の素材としてビニロンから成る非伸縮性の合成樹脂地を使用することにより、この第二袋生地２を第一袋生地１内部に封入の際、上記の実施例の如く、表面に皺がよったりすることはなく、坐り心地の良さと共に更に形態安定性が向上する。
【００２６】
　本実施例においては、クッションソファ袋体Ｓのファスナー部材４として、上記の如き調節紐を採用したことにより、この紐を利用して、ソファ本体をつり下げることができ、手狭な室内で使用するのに好適である。その他の構成要素は、上記の実施例１及び２と同じである。
（使用例１）
　前述の実施例１、実施例２および実施例３においては、何れも第二袋生地２を第一袋生地１に包み込んで縮小弾性袋ＳS として使用する例を説明していたが、図10に示す如く、ソファ袋体Ｓ全体を拡張させた状態でも使用可能である。即ち、伸縮性の第一袋生地１を上側にして、第二袋生地２を下側に配置して、使用者Ｐの身体姿勢（図示例では、横臥姿勢）を安定して保持できるばかりでなく、使用中のソファの滑動を抑えることができる。このように、本実施例においては使用者がゆったりとリラックスできる大きめのクッションソファが得られる。その他の構成要素は、上記の実施例１、２及び３と同じである。
（使用例２）
　他の使用例として、図11に示す如く、縮小弾性袋ＳS を横長に配置することによって、背凭れとすることもできる。
（使用例３）
　また他の使用例としては、図12に示す如く、縮小弾性袋ＳS の上に幼児Ｐらが腹這いに跨がって遊ぶこともできる。
【００２７】
　本考案に基づくビーズクッションソファは、概ね上記の如く実施されるが、これに限定されるわけで決してなく、「実用新案請求の範囲」内において種々に設計変更可能であることは言うまでもない。
【００２８】
　例えば、上記の実施例においては何れも、第二袋生地２として、非伸縮性布帛を使用しているが、これに限定される訳でなく、伸縮性布帛を使用しても良い。
【００２９】
　また、上記の実施例においては、発泡ビーズの特性のみを利用する内容となっているがビーズ表面にトルマリン等マイナスイオンを発生するパウダーや竹炭等の遠赤外線を発生するパウダーを被膜加工することにより、健康を指向する向きには打って付けのクッションソファを提供できる。
【００３０】
　次に、上記の実施例１においては、ファスナー部材が剥き出しになっているが、第一袋生地の覆い面の何れか一方の周縁部に、図13に示す如きジッパー覆いＣを設けることによって、異物感を軽減することができる。
【００３１】
　更には、図14に図示の如く、第二袋生地２を対向する周縁にファスナー４を配設して成る両側の第一袋生地１にて挟着してソファ袋体Ｓを構成することもできる。
【産業上の利用可能性】
【００３２】
　上述した通り、本考案のクッションソファは、嵩張らず、また、使用目的に即した形態変化の自由度に富み、更に、使用中も身体姿勢に応じて形態を安定して保持でき、従来に比べ、格段のクッション性と坐り心地を提供できるため、産業上の利用可能性は高いと言える。
【図面の簡単な説明】
【００３３】
【図１】実施例１に係るソファを第一袋生地と第二袋生地の接合線を縦方向に位置させて置いた状態を示す一部透視斜視図である。
【図２】実施例１のソファを第一袋生地を下側に配置した場合の一部透視斜視図である。
【図３】実施例１において第二袋生地を第一袋生地の中に包み込む前の状態を表す斜視図である。
【図４】実施例１において第二袋生地が第一袋生地の中に包み込まれて縮小弾性袋を形成した状態の斜視図である。
【図５】実施例１に係るソファの使用例を示す斜視図である。
【図６】実施例２において第二袋生地を第一袋生地の中に包み込む前の状態表す斜視図である。
【図７】実施例２において第二袋生地が第一袋生地の中に包み込まれて縮小弾性袋を形成した状態の斜視図である。
【図８】実施例３において第二袋生地を第一袋生地の中に包み込む前の状態表す斜視図である。
【図９】実施例３において第二袋生地が第一袋生地の中に包み込まれて縮小弾性袋を形成した状態の斜視図である。
【図１０】本考案に基づくソファの使用例を示す斜視図である。
【図１１】本考案に基づくソファの使用例を示す斜視図である。
【図１２】本考案に基づくソファの使用例を示す斜視図である。
【図１３】本考案に基づく変形例を示す斜視図である。
【図１４】本考案に基づく変形例を示す斜視図である。
【符号の説明】
【００３４】
　Ｃ　　　ジッパー覆い
　Ｓ　　　クッションソファ袋体
　　ＳS 　縮小弾力袋
　１　　　第一袋生地
　２　　　第二袋生地
　　21　　充填口
　　22　　第二ファスナー部材
　３　　　発泡ビーズ
　　31　　インナーサック
　４　　　ファスナー部材
　　41　　ループテープ（調節摘まみ）
　　42　　フックテープ　（ストラップ紐）
　
　
【図１】
0003100276.tif 000003
【図２】
0003100276.tif 000004
【図３】
0003100276.tif 000005
【図４】
0003100276.tif 000006
【図５】
0003100276.tif 000007
【図６】
0003100276.tif 000008
【図７】
0003100276.tif 000009
【図８】
0003100276.tif 000010
【図９】
0003100276.tif 000011
【図１０】
0003100276.tif 000012
【図１１】
0003100276.tif 000013
【図１２】
0003100276.tif 000014
【図１３】
0003100276.tif 000015
【図１４】
0003100276.tif 000016